(57)【要約】【課題】ハンドルの回転操作を要することなく釣糸放出可能状態から釣糸巻き取り可能状態へ簡単且つ迅速に復帰させることができる操作性の良いクローズドフェースリールの提供を目的としている。【解決手段】本発明の一実施形態では、釣糸放出可能状態（クラッチＯＦＦ）から釣糸巻き取り可能状態（クラッチＯＮ）への釣糸係止部材３５の復帰を、従来のようにハンドルを回転操作することなく、復帰操作部材６０を操作することで簡単に行なえるため、キャスト直後に魚の当たりがあった場合であっても、即座に対応できる。また、復帰操作部材６０を用いた糸ふけ解消操作も釣竿を保持した手の指の操作で容易に行なえる。【選択図】図２
2008029299.tif 000002
【特許請求の範囲】
【請求項１】
リール本体に設けたハンドルの回転操作に伴ってロータを回転させることにより、前記ロータの外周から突出する釣糸案内部を介してスプールに釣糸を巻回可能とすると共に、前記リール本体に設けた解放部材の変位操作により前記釣糸案内部の突出規制状態を解除して釣糸放出可能状態とし、前記スプールおよびロータを覆うカバーを前記リール本体に装着して成るクローズドフェースリールにおいて、前記釣糸放出可能状態にある釣糸案内部を釣糸巻き取り可能状態に復帰させる復帰部材を、前記リール本体に変位操作可能に設けたことを特徴とするクローズドフェースリール。
【請求項２】
前記復帰部材は、一方向クラッチを介して前記釣糸案内部を釣糸放出可能状態から釣糸巻き取り可能状態に復帰させることを特徴とする請求項１に記載のクローズドフェースリール。
【請求項３】
前記復帰部材は、前記解放部材に近接した状態でリール本体に設けられていることを特徴とする請求項１または請求項２に記載のクローズドフェースリール。
【発明の詳細な説明】
【技術分野】
【０００１】
本発明は、ハンドルの回転に連動して回転するロータの外周に、釣糸をスプールに案内する釣糸案内部（ピックアップピン）を突没可能に設けると共に、スプールおよびロータを覆うカバーを備えたクローズドフェースリールに関する。
【背景技術】
【０００２】
一般に、クローズドフェースリールは、例えば特許文献１および特許文献２に開示されるように、リール本体に設けたプッシュボタンや操作レバーを押し込み操作し或いは牽引操作することにより、先端部にロータが固定された回転軸またはカム部材を前方側に移動させ、この移動によりロータの外周に設けたピックアップピンの突出規制状態を解除して、バネ力によりピックアップピンをロータの内側に入り込ませる状態（クラッチＯＦＦ状態）に移行させることで釣糸放出可能状態となる。
【０００３】
また、クローズドフェースリールは、ハンドルの回転操作に伴ってロータが回転することにより、ピックアップピンがロータの外周から径方向外側に突出するクラッチＯＮ状態となり、釣糸巻き取り可能状態に復帰される。
【特許文献１】実公昭５３−３６９５２号公報
【特許文献２】特開２００５−１０２５２４号公報
【発明の開示】
【発明が解決しようとする課題】
【０００４】
しかしながら、上記構成のクローズドフェースリールにおいて、釣糸放出可能状態（クラッチＯＦＦ状態）から釣糸巻き取り可能状態（クラッチＯＮ状態）への復帰は、ハンドルを回転操作しなければ行なわれない。そのため、利き腕でキャストした直後に魚の当たりがあった場合には、一旦釣竿を利き腕でない方に持ち替えて利き腕でハンドルを回転操作しなければならず、即座に対応できない。
【０００５】
また、クローズドフェースリールは、ロータの外周に突出したピックアップピンを介してスプールに釣糸を案内する構造上、特に釣糸に張力を掛けてハンドル操作を行なわないと（糸ふけを解消しないと）、ピックアップピンから釣糸が外れてしまうことになるため、特に釣糸巻き取り操作時には両手が塞がってしまい、大変不便であるとともに、自由度もなく操作性が悪い。
【０００６】
本発明は、前記事情に着目してなされたものであり、その目的とするところは、ハンドルの回転操作を要することなく釣糸放出可能状態から釣糸巻き取り可能状態へ簡単且つ迅速に復帰させることができる操作性の良いクローズドフェースリールを提供することにある。
【課題を解決するための手段】
【０００７】
前記課題を解決するために、本発明は、リール本体に設けたハンドルの回転操作に伴ってロータを回転させることにより、前記ロータの外周から突出する釣糸案内部を介してスプールに釣糸を巻回可能とすると共に、前記リール本体に設けた解放部材の変位操作により前記釣糸案内部の突出規制状態を解除して釣糸放出可能状態とし、前記スプールおよびロータを覆うカバーを前記リール本体に装着して成るクローズドフェースリールにおいて、前記釣糸放出可能状態にある釣糸案内部を釣糸巻き取り可能状態に復帰させる復帰部材を、前記リール本体に変位操作可能に設けたことを特徴とする。
【発明の効果】
【０００８】
本発明によれば、ハンドル操作を要することなく釣糸放出可能状態から釣糸巻き取り可能状態へ簡単且つ迅速に復帰させることができる。すなわち、本発明のクローズドフェースリールは、釣糸放出可能状態（クラッチＯＦＦ）から釣糸巻き取り可能状態（クラッチＯＮ）への復帰を、従来のようにハンドルを回転操作することなく、復帰部材を操作することで簡単に行なえるため、キャスト直後に魚の当たりがあった場合であっても、即座に対応できる。また、糸ふけ解消操作も釣竿を保持した手の指の操作で容易に行なえる。
【発明を実施するための最良の形態】
【０００９】
以下、図面を参照しながら、本発明の実施形態について説明する。
図１〜図８は本発明の第１の実施形態を示している。特に図１を参照すると、本実施形態に係るクローズドフェースリール１のリール本体２には、端部に前後方向に延出する釣竿装着部２ｂを具備した脚部２ａが一体的に形成されている。また、リール本体２には、前方に向けて突出するスプール支持筒２ｃが形成されており、その外周側には、釣糸が巻回されるスプール３が支持（回転不能、または、ドラグ機構において回転可能に摩擦結合）されている。なお、スプール支持筒２ｃの先端側外周には抜け止め部材（止め輪）５が装着されており、この抜け止め部材５によってスプール３が抜け止めされている。また、スプール支持筒２ｃの前端には、後述する釣糸係止部材を径方向外側に向けて移動案内するカム部２５が形成されている。
【００１０】
図２に詳しく示されるように、リール本体２内には、回転操作されるハンドル９０を装着したハンドル軸（駆動軸）１０が回転可能に支持されており、そこにはフェースギヤ１１が取り付けられている。また、リール本体２内には、ハンドル軸１０と直交する方向に延出するメインシャフト１５がスプール支持筒２ｃを貫通して回転可能に支持されており、このメインシャフト１５の基端側には、フェースギヤ１１と噛合するようにピニオン１５ａが形成されている。また、メインシャフト１５の後端部にはクラッチ付勢バネ２２が配設されており、このクラッチ付勢バネ２２は、メインシャフト１５を後方側に向けて常時付勢している。
【００１１】
メインシャフト１５の前端側には、スプール３側に開口する蓋状に形成されたロータ３０が、ナット３１によってメインシャフト１５と一体回転且つ軸方向に移動不能となるように取り付けられており、ハンドル９０を回転操作することで、フェースギヤ１１及びピニオン１５ａを介して、その円周壁３０ａがスプール３の周りを回転するようになっている。なお、ロータ３０の前壁３０ｂの両側には、釣糸放出操作時に後述するカバー部材の内面との間で釣糸Ｓを挟持するテーパ状の挟持部９８が形成されている。
【００１２】
また、本実施形態では、メインシャフト１５にしたがってロータ３０を釣糸巻き取り方向にのみ回転可能とするように、逆転防止機構が設けられている。具体的に、この逆転防止機構は、フェースギヤ１１に隣接してハンドル軸１０に形成された（あるいは、取り付けられた）逆転防止爪を有するラチェット６２と、リール本体２に支軸７２を介して回動可能に取り付けられ且つラチェット６２の爪と係合するバネ付勢された逆転防止爪７０とによって構成されている。
【００１３】
ロータ３０の円周壁３０ａには、その表面から突没自在となるように、釣糸案内部としての釣糸係止部材３５が配設されている。この釣糸係止部材３５は、ロータ３０内に位置し且つメインシャフト１５の前記カム部２５に係合する本体部３５ａと、円周壁３０ａに形成された孔３０ｄ内に位置し且つ釣糸Ｓをピックアップするピン３５ｂとによって構成されている。また、ロータ３０の前壁３０ｂには径方向に延出する長孔３０ｃが形成されている。そして、この長孔３０ｃには、釣糸係止部材３５の本体部３５ａが移動可能に係合されており、これにより、釣糸係止部材３５は、径方向に移動可能となるようにロータ３０に支持されている。
【００１４】
また、釣糸係止部材３５の本体部３５ａと円周壁３０ａの内面との間には付勢バネ３８が配設されており、この付勢バネ３８は、釣糸係止部材３５を径方向内側（ピン３５ｂがロータ３０内に入り込む方向）に向けて常時付勢している。
【００１５】
リール本体２の前方側には、スプール３およびロータ３０を覆うと共に、前方において釣糸Ｓを導出するための釣糸挿通孔４０ａが形成されたカバー部材４０が着脱可能に配設されている。この場合、スプール３に巻回された釣糸Ｓは、ロータ３０の円周壁３０ａとカバー部材４０の内面との間の隙間を通って釣糸挿通孔４０ａから導出される。
【００１６】
リール本体２の後端部には、支軸５０を介して釣糸解放操作部材（解放部材）５１が回動可能（図１および図３に矢印ＡＢで示される方向）に軸支されている。この釣糸解放操作部材５１は、釣竿を保持した手の指（特に親指）で簡単に操作できる位置に押し込み操作可能に設けられており、具体的には押し込み操作ボタンとして構成されている。また、リール本体２内に突出する釣糸解放操作部材５１の部位は、メインシャフト１５の後端に当て付く押圧作動部５１ａとして形成されている。
【００１７】
また、リール本体２の後端部には、後述するようにロータ３０内に没した釣糸係止部材３５のピン３５ｂをロータ３０の円周壁３０ａから径方向外側に突出させる（釣糸放出可能状態にある釣糸係止部材３５を釣糸巻き取り可能状態に復帰させる）ための復帰操作部材（復帰部材）６０が、釣糸解放操作部材５１と近接して、具体的には釣糸解放操作部材５１の横に並んで変位操作可能に設けられている。復帰操作部材６０は、リール本体２に対して支軸５０を介して回動可能（図３に矢印ＡＢで示される方向）に軸支されるとともに、釣竿を保持した手の指（特に親指）で簡単に操作できる位置（また、釣糸解放操作部材５１を操作するその指を横にスライドさせて操作できる位置）に押し込み操作可能に設けられており、具体的には押し込み操作ボタンとして構成されている。
【００１８】
また、図５〜図８に明確に示されるように、リール本体２の内部に面する復帰操作部材６０の内面には略扇型の第１の歯車６８が一体形成されており、この第１の歯車６８は、図２に示されるようにラチェット６２に隣接してハンドル軸１０に設けられた第２の歯車６６と噛合している。また、第２の歯車６６は一方向クラッチ６４を介してハンドル軸１０に取り付けられており、これにより、復帰操作部材６０の押し込み方向（図３に矢印Ａで示される操作方向）の力のみがハンドル軸１０に伝えられ且つ復帰操作部材６０の戻り方向の回動（図３に矢印Ｂで示される方向）力がハンドル軸１０に伝わらないようになっている。なお、図６および図８に明確に示されるように、リール本体２と復帰操作部材６０との間には、支軸５０の周囲に巻回保持された付勢バネ５３が介挿されており、この付勢バネ５３は、復帰操作部材６０を図３の反時計回り方向（矢印Ｂ方向）すなわち押し込み操作方向と逆の方向に常時付勢している。
【００１９】
以上のように構成されたクローズドフェースリールの作用を、図１〜図８を参照して説明する。
【００２０】
図１は釣糸巻き取り可能状態であり、釣糸Ｓは、釣糸係止部材３５のピン３５ｂに係止され、ロータ３０が回転駆動されることによって、スプール３に巻回される。このとき、釣糸係止部材３５は、その本体部３５ａがメインシャフト１５のカム部２５の最外周に当接しており、付勢バネ３８の付勢力に抗してピン３５ｂがロータ３０の円周壁３０ａの表面から突出している。
【００２１】
この状態から、釣糸解放操作部材５１を押し込み操作すると、図３に示すように、押圧作動部５１ａが付勢バネ５３の付勢力に抗して時計回り方向（図１の矢印Ａ方向）に回動され、メインシャフト１５が付勢バネ２２の付勢力に抗してスプール３側に移動される。これに伴い、ロータ３も一体的に移動され、それにより、釣糸係止部材３５の本体部３５ａの下端とメインシャフト１５のカム部２５との係合が外れ、ロータ３０の円周壁３０ａから突出した状態にあるピン３５ｂが付勢バネ３８の付勢力によってロータ３０の内部に沈み込む釣糸放出可能状態となる。このとき、上述したように、ロータ３０は釣糸挟持機能を備えていることから、釣糸Ｓは、ロータ３０の挟持部９８とカバー部材４０の内面との間で挟持された状態で、釣糸挿通孔４０ａから導出される。
【００２２】
この状態で、釣竿をキャスティングしながら釣糸解放操作部材５１から指を離すと、釣糸の挟持状態が解消されて、仕掛けが放出される。その状態が図４に示されている。このとき、メインシャフト１５および釣糸解放操作部材５１は、各付勢バネ２２，５３の付勢力によって、図４に示す状態に戻されており、これにより、釣糸係止部材３５がメインシャフト１５のカム部２５と再び係合し、カム部２５が釣糸係止部材３５の本体部３５ａに対してカム作用を与えることができる状態となる。
【００２３】
また、ここで、復帰操作部材６０を押し込み操作する（図３に矢印Ａで示される方向に回動させる）と、第１の歯車６８が時計周り（図６に矢印Ｃで示される方向）に回動し、歯車６６，６８同士の噛合および一方向クラッチ６４の楔作用（一方向クラッチ６４のコロ６４ａに楔作用が働く）によりハンドル軸１０が釣糸巻取方向（図６に矢印Ｄで示される方向）に回転する。これにより、図７に示されるように、ハンドル軸１０とフェースギヤ１１およびピニオン１５ａを介して噛み合うメインシャフト１５がロータ３０と共に釣糸巻取方向に回転し、本体部３５ａの下端と係合するメインシャフト１５のカム部２５のカム作用により、釣糸係止部材３５のピン３５ｂが付勢バネ３８の付勢力に抗してロータ３０の円周壁３０ａから突出して釣糸Ｓをピックアップする。そして、この状態で復帰操作部材６０から指を離すと、図８に示されるように、付勢バネ５３の付勢力により復帰操作部材６０が元の位置まで自動的に回動して戻る。しかしながら、この回動に伴う力は一方向クラッチ６４の作用（楔作用が働かない）によりハンドル軸１０に伝わらない。その後、ハンドルを巻き取り操作すれば、釣糸Ｓをピン３５ｂの案内によりスプール３に巻回することができる。
【００２４】
無論、復帰操作部材６０によらず、図５の状態からハンドル９０を巻き取り操作しても、ロータ３０を釣糸巻取方向に回転させることができるため、釣糸放出可能状態にある釣糸係止部材３５を釣糸巻き取り可能状態に復帰させることができる。
【００２５】
以上説明したように、本実施形態では、釣糸放出可能状態（クラッチＯＦＦ）から釣糸巻き取り可能状態（クラッチＯＮ）への釣糸係止部材３５の復帰を、従来のようにハンドルを回転操作することなく、復帰操作部材６０を操作することで簡単に行なえるため、キャスト直後に魚の当たりがあった場合であっても、即座に対応できる。また、復帰操作部材６０を用いた糸ふけ解消操作も釣竿を保持した手の指の操作で容易に行なえる。
【００２６】
また、本実施形態では、リール本体２に設けた復帰操作部材６０の操作で、一方向クラッチ６４を介した動力伝達により釣糸係止部材３５を釣糸巻き取り可能状態に復帰するように構成したため、釣竿を保持しての操作に何ら支障はなく、容易に復帰操作を行なえる。
【００２７】
更に、本実施形態では、復帰操作部材６０が釣糸解放操作部材５１に近接した状態でリール本体２に設けられているため、釣竿を保持した手の指で、釣糸巻き取り可能状態と釣糸放出可能状態のそれぞれの状態に容易に切り換え操作可能となり、実釣性が格段に向上する。
【００２８】
図９〜図１１は本発明の第２の実施形態を示している。前述した第１の実施形態では、復帰操作部材６０の操作によりハンドル軸１０を回転させ、このハンドル軸１０を介してメインシャフト１５およびロータ３０を回転させることによりピン３５ｂを釣糸巻き取り可能状態に復帰させているが、この第２の実施形態では、復帰操作部材の操作により直接にメインシャフト１５およびロータ３０を回転させてピン３５ｂを釣糸巻き取り可能状態に復帰させている。具体的には、本実施形態において、釣糸放出可能状態にある釣糸係止部材３５を釣糸巻き取り可能状態に復帰させるための復帰操作部材８２は、図９および図１０に示されるように、リール本体２の側方に設けられている。そのため、第１の実施形態と同様にリール本体２の後端部に配置される釣糸解放操作部材５１は、第１の実施形態の構成における復帰操作部材６０をも含む大きさで横方向に広がって設けられている。
【００２９】
復帰操作部材８２は、リール本体２に対して支軸８８を介して回動可能（図１０に矢印ＡＢで示される方向）に軸支されるとともに、釣竿を保持した手の指で簡単に操作できる位置（あるいは、釣糸解放操作部材５１上に置かれた指を動かすことなくその指を持つ手の他の指で操作できる位置）に上下動可能に設けられており、具体的には回動レバーとして構成されている。なお、復帰操作部材８２の上下動範囲を規定するため、リール本体２側には上下にストッパ８５，８７が設けられている。
【００３０】
また、図１０および図１１に明確に示されるように、リール本体２の内部に位置する復帰操作部材８２の端部には略扇型の第１の歯車９１が一体形成されており、この第１の歯車９１は、メインシャフト１５に設けられた第２の歯車９３と噛合している。また、第２の歯車９３は一方向クラッチ８０を介してメインシャフト１５に取り付けられており、これにより、復帰操作部材８２の押し下げ方向（図１０に矢印Ａで示される方向）の力のみがメインシャフト１５に伝えられ且つ復帰操作部材８２の引き上げ方向（図１０に矢印Ｂで示される方向）の回動力がメインシャフト１５に伝わらないようになっている。なお、リール本体２と第１の歯車９１との間には付勢バネ９２が介挿されており、この付勢バネ９２は、復帰操作部材８２を引き上げ方向に向けて常時付勢している。
【００３１】
したがって、このような構成においても、第１の実施形態と同様に、ハンドル９０とは別個の復帰操作部材８２を押し下げ動作させることにより、釣糸放出可能状態にある釣糸係止部材３５を釣糸巻き取り可能状態へ復帰させることができる。すなわち、復帰操作部材８２を押し下げ動作させると、第１の歯車９１が反時計周り（図１１に矢印で示される方向）に回動し、歯車９１，９３同士の噛合および一方向クラッチ８０の楔作用によりメインシャフト１５およびロータ３０が釣糸巻取方向に回転する。したがって、本体部３５ａの下端と係合するメインシャフト１５のカム部２５のカム作用により、釣糸係止部材３５のピン３５ｂが付勢バネ３８の付勢力に抗してロータ３０の円周壁３０ａから突出して釣糸Ｓをピックアップする。そして、この状態で復帰操作部材８２から指を離すと、付勢バネ９２の付勢力により復帰操作部材８２が元の上側位置まで自動的に回動して戻る。つまり、本実施形態においても第１の実施形態と同様の作用効果を有することができる。
【産業上の利用可能性】
【００３２】
本発明は、様々なクローズドフェースリールに対して適用することができる。
【図面の簡単な説明】
【００３３】
【図１】本発明の第１の実施形態に係るクローズドフェースリールの釣糸巻き取り可能状態の側断面図である。
【図２】図１のクローズドフェースリールの要部分解平断面図である。
【図３】図１のクローズドフェースリールの釣糸巻き取り可能状態を解除した状態の側断面図である。
【図４】図１のクローズドフェースリールの釣糸放出可能状態の側断面図である。
【図５】図１のクローズドフェースリールの釣糸放出可能状態における復帰操作部材の機構の詳細を示す側断面図である。
【図６】図５のＰ部拡大断面図である。
【図７】図５の状態から復帰操作部材を押し込み操作した状態の側断面図である。
【図８】図７のＲ部拡大断面図である。
【図９】本発明の第１の実施形態に係るクローズドフェースリールの要部分解平断面図である。
【図１０】図９のクローズドフェースリールの要部背面図である。
【図１１】図１０のＴ部の拡大断面図である。
【符号の説明】
【００３４】
１  クローズドフェースリール
２  リール本体
３  スプール
３０  ロータ
３５  釣糸係止部材（釣糸案内部）
５１  釣糸解放操作部材（解放部材）
６０，８２  復帰操作部材（復帰部材）
９０  ハンドル
【図１】
2008029299.tif 000003
【図２】
2008029299.tif 000004
【図３】
2008029299.tif 000005
【図４】
2008029299.tif 000006
【図５】
2008029299.tif 000007
【図６】
2008029299.tif 000008
【図７】
2008029299.tif 000009
【図８】
2008029299.tif 000010
【図９】
2008029299.tif 000011
【図１０】
2008029299.tif 000012
【図１１】
2008029299.tif 000013